(57)【要約】【課題】  ダイアル錠の暗証番号を合わせてダイアル錠を解錠した状態で郵便箱の蓋を閉めた場合、郵便物が貯まって蓋が自然に開いてしまうことを防止する。【解決手段】  ダイアル錠の外ケース３の外端部外側に操作リング１８を回動可能に嵌装し、この操作リング内面のトリガー杆１６の外端部とほぼ整合する位置に、ダイアル錠の中心軸線に垂直な平面部２１と、この平面部２１と角度位置を違え、平面部と斜交する傾斜面２２を形成したカム１９を固定すると共に、操作リング１８を一方向に付勢し、一方、上記トリガー杆１６の長さを、操作リングに外力が作用しない常態において外端がカム１９に当接するとき、内端が上記内側及び外側回転体の開口端縁にほぼ揃うように設定する。【選択図】  図６
2010144380.tif 000002
【特許請求の範囲】
【請求項１】
外ケースの内筒部に収納され、相互に独立に回動できるように、かつ、同軸に支承された内側及び外側回転体の外周部に、内側及び外側切欠をそれぞれ形成すると共に、これら内側及び外側回転体の相互に対向する部分に、相互に干渉可能な第１及び第２係合片をそれぞれ突設し、また、内側回転体及び外側回転体の何れか一方につまみを結合したダイアル機構と、このダイアル機構の内側で外ケースに一体的に結合されたホルダと、このホルダに支持され、頭部がホルダ外に突出する方向にラッチばねで付勢されたラッチとを有し、このラッチ及びホルダの何れか一方に上記回転体の回動軸線に垂直な案内スリットを形成し、他方にこの案内スリット中で回動できるガイドピンを設けて、これら案内スリット及びガイドピンを摺動可能に係合させたダイアル錠において、外ケースの内周面における上記スリットと同じ角度位置に、その母線に沿ってトリガー杆収納溝を形成し、このトリガー杆収納溝に細長いトリガー杆をその長さ方向に移動可能に収納し、一方、上記外ケースの外端部外側に操作リングを回動可能に嵌装し、この操作リング内面の上記トリガー杆外端部とほぼ整合する位置に、ダイアル錠の中心軸線に垂直な平面部と、この平面部と角度位置を違え、平面部と斜交する傾斜面を形成したカムを設けると共に、操作リングを一方向に付勢し、他方、上記トリガー杆の長さを、操作リングに外力が作用しない常態において外端がカムに当接するとき、内端が上記内側及び外側回転体の開口端縁にほぼ揃うように設定したことを特徴とするダイアル錠の開扉防止機構。
【発明の詳細な説明】
【技術分野】
【０００１】
この発明は、郵便箱の蓋等に装着されるダイアル錠の開扉防止機構（以下単に開扉防止機構という）に係り、特に、ダイアル錠の暗証番号を合わせてダイアル錠を解錠した状態で郵便箱の蓋を閉めた場合、郵便物が貯まって蓋が自然に開いてしまうことを防止できる開扉防止機構に関する。
【背景技術】
【０００２】
ダイアル錠の一般的な構成は、例えば下記特許文献１の特許請求の範囲に記載されているように、相互に独立に回動できるように、かつ、同軸に支承された内側及び外側回転体の外周部に、内側及び外側切欠をそれぞれ形成すると共に、これら内側及び外側回転体の相互に対向する部分に、相互に干渉可能な第１及び第２係合片をそれぞれ突設し、また、内側回転体及び外側回転体の何れか一方につまみを結合したダイアル機構と、このダイアル機構の内側で外ケースに一体的に結合されたホルダと、このホルダに支持され、頭部がホルダ外に突出する方向にラッチばねで付勢されたラッチとを有し、このラッチ及びホルダの何れか一方に上記回転体の回動軸線に垂直な案内スリットを形成し、他方にこの案内スリット中で回動できるガイドピンを設けて、これら案内スリット及びガイドピンを摺動可能に係合させてあり、上記つまみを操作することにより内側及び外側切欠を所定の角度位置、換言すればラッチに整合させ、その状態でつまみを引くことにより解錠する。
【０００３】
下記特許文献２に記載されたダイアル錠では、ラッチの頭部に鎌状の緩衝片を一体に結合しており、この緩衝片を郵便受けの係止片１４に摺接させることにより、ラッチを上記内側及び外側切欠に係入させつつガイドピン８の回りで回動させ、郵便受けの蓋板１３を開く。
【特許文献１】特開平０７−００６３０７号公報
【特許文献２】特開２００２−３０３０６３
【発明の開示】
【発明が解決しようとする課題】
【０００４】
ダイアル錠は上記のように構成されているため、例えば郵便箱の蓋板を開閉する度につまみを操作して施解錠する必要があるので面倒である。
【０００５】
そこで、通常はダイアル錠の外側及び内側切欠を解錠位置に固定した状態で、つまりダイアル錠の錠止機能を利用しないで蓋板を開閉し、ラッチのラッチ機能を利用して蓋板を郵便箱に掛け止めている。
【０００６】
そのため、郵便箱に郵便物が貯まると、その郵便物が蓋板を外側に、つまり蓋板が開く方向に押動するので、ダイアル錠のラッチの機能からラッチが内側及び外側切欠内に係入しつつ回動して蓋板が開き、中の郵便物が床に落下してしまう、という不都合が生じる。
【０００７】
そこで、この発明は、ダイアル錠の内側及び外側切欠が解錠位置に揃った解錠状態で蓋を郵便箱に掛け止めた場合でも、蓋が開いてしまうことがない開扉防止機構を提供することを目的としている。
【課題を解決するための手段】
【０００８】
上記の目的を達成するため、請求項１に記載の発明は、外ケースの内筒部に収納され、相互に独立に回動できるように、かつ、同軸に支承された内側及び外側回転体の外周部に、内側及び外側切欠をそれぞれ形成すると共に、これら内側及び外側回転体の相互に対向する部分に、相互に干渉可能な第１及び第２係合片をそれぞれ突設し、また、内側回転体及び外側回転体の何れか一方につまみを結合したダイアル機構と、このダイアル機構の内側で外ケースに一体的に結合されたホルダと、このホルダに支持され、頭部がホルダ外に突出する方向にラッチばねで付勢されたラッチとを有し、このラッチ及びホルダの何れか一方に上記回転体の回動軸線に垂直な案内スリットを形成し、他方にこの案内スリット中で回動できるガイドピンを設けて、これら案内スリット及びガイドピンを摺動可能に係合させたダイアル錠において、外ケースの内周面における上記スリットと同じ角度位置に、その母線に沿ってトリガー杆収納溝を形成し、このトリガー杆収納溝に細長いトリガー杆をその長さ方向に移動可能に収納し、一方、上記外ケースの外端部外側に操作リングを回動可能に嵌装し、この操作リング内面の上記トリガー杆外端部とほぼ整合する位置に、ダイアル錠の中心軸線に垂直な平面部と、この平面部と角度位置を違え、平面部と斜交する傾斜面を形成したカムを設けると共に、操作リングを一方向に付勢し、他方、上記トリガー杆の長さを、操作リングに外力が作用しない常態において外端がカムに当接するとき、内端が上記内側及び外側回転体の開口端縁にほぼ揃うように設定したことを特徴とする。
【発明の効果】
【０００９】
上記のように構成された請求項１に記載の発明は、操作リングに外力が作用しない常態においては、ダイアル機構が解錠状態にあり、かつ、郵便箱に郵便物が貯まって蓋を開こうとする圧力がラッチに掛かった場合、ラッチは内側及び外側回転体の切欠に係入しようとするが、そのラッチの動きはトリガー杆の内端に阻止される結果、ラッチはそれ以上回動することができず、結局蓋は開かない。
【００１０】
一方、操作リングをその付勢力に抗して他方向に回すと、トリガー杆の外端とカムとの間に隙間ができるので、トリガー杆は外方に移動可能になり、郵便箱の中の郵便物の重さにより、或いは操作リングを手指で挟んでその侭蓋を開く動作により、ラッチが内側及び外側回転体の切欠に係入しつつ回動できるようになるので、蓋を開けることができる。
【００１１】
他方、一度開いた蓋を閉めるため侭蓋を閉鎖方向に押動すると、ラッチの頭部と郵便箱の係止凸部との間に生じる楔作用により、ラッチは回転せずに内側及び外側回転体の開口端縁に沿ってホルダ内に没入できるので、蓋を閉めることができる。
【発明を実施するための最良の形態】
【００１２】
通常の構成のダイアル錠に加えて外ケースの内周面の所定の角度位置に、その母線に沿ってトリガー杆を長さ方向に移動可能に設け、一方、ケースの外端部外側に操作リングを回動可能に嵌装し、この操作リング内面の上記トリガー杆外端部とほぼ整合する位置に、ダイアル錠の中心軸線に垂直な平面部と、この平面部と角度位置を違え、平面部と斜交する傾斜面を形成したカムを固定すると共に、操作リングを一方向に付勢し、他方、上記トリガー杆の長さを、操作リングに外力が作用しない常態において外端がカムに当接するとき、内端が上記内側及び外側回転体の開口端縁にほぼ揃うように設定したので、操作リングを回動させることによりトリガー杆を拘束或いは解放し、拘束するときには、ダイアル錠が解錠されていても、郵便箱内の郵便物が貯まったことによる圧力により蓋が開いてしまうことを防止できる。
【実施例１】
【００１３】
以下、図面を参照してこの発明の実施例を説明する。
図１において符号１は内側回転体を、符号２は外側回転体をそれぞれ示し、これら内側及び外側回転体１、２は、外ケース３の内筒部に収納されると共に、相互に独立に回動できるように、かつ、同軸に支持、案内されている。
【００１４】
これら内側及び外側回転体１、２の外周部の所定の角度位置には、内側及び外側切欠４、５がそれぞれ形成されている。
【００１５】
また、上記内側及び外側回転体１、２の相互に対向する部分に、相互に干渉可能な第１片６及び図示しない第２係合片がそれぞれ突設されており、更にまた、内側回転体１及び外側回転体２の何れか一方（図１に示すものは内側回転体）につまみ７を結合して全体を符号８で示すダイアル機構が構成されている。
【００１６】
そして、このダイアル機構８の内側（図１で左側）には、外ケース３に一体的に結合されたホルダ９には、このホルダ９に支持され、頭部がホルダ外に突出する方向にラッチばね１１で付勢されたラッチ１２が設けられている。
【００１７】
上記ホルダ９に上記回転体１、２の回動軸線に垂直な案内スリット１３が形成されており、一方、ラッチ１２にはこの案内スリット１３中で回動できるガイドピン１４が突設されていて、このガイドピン１４はスリット１３に摺動可能に係合れている。
【００１８】
なお、上記したダイアル錠の一般的な構成は前記特許文献１及び２に詳細に記載されて周知であるから、更に詳細な説明は省略する。
【００１９】
一方、図３に示すように、前記外ケース３の内周面における上記スリット１３と同じ角度位置（図３では時計盤面に換算して１２時の角度位置）に、その母線に沿って横断面略扇形のトリガー杆収納溝１５が形成されており、このトリガー杆収納溝１５に細長いトリガー杆１６がその長さ方向に移動可能に収納されている（図１及び図２参照）。
【００２０】
このトリガー杆１６は、図４及び図５に示すように、円筒の一部を母線に沿って切出した形状の横断面が略扇形の細長い杆体で、その外端（図４で左端）は鈎形に形成され、後述のカムと係合する傾斜端縁１７が形成されている。
【００２１】
なお、トリガー杆１６の横断面及び上記トリガー杆収納溝１５の横断面を略扇形に設定することにより、前者を後者に嵌め込んだとき、トリガー杆１６の抜け止めが自動的に施されることになる。
【００２２】
なお、これは当然のことであるが、トリガー杆１６をトリガー杆収納溝１６に嵌め込むとき、トリガー杆１６の内端部を外ケース外端面側から嵌め込む。
【００２３】
一方、図１及び図２に示すように、前記外ケース３の外端部外側に操作リング１８が回動可能に嵌装されている。
【００２４】
そして、この操作リング１８の内面の上記トリガー杆外端部とほぼ整合する位置（図２において時計盤面に換算して１２時の角度位置）にカム１９が例えばねじ止めにより固定されている。
【００２５】
このカム１９は、実際には板材を複雑に折曲げた部品であるが、それを詳細に説明しても意味はないので、図６にカム１９の構成を略示して示す。
【００２６】
すなわち、図９に示すように、このカム１９は、ダイアル錠の中心軸線に垂直な平面部２１と、この平面部２１と角度位置を違え、平面部と斜交する傾斜面２２を形成してある。
【００２７】
この傾斜面２２は、図６に示すように、平面部２１に関し外側に傾斜しているものとする。
【００２８】
そして、図２及び図６に示すように、このカム１９と外ケース３の外周部に形成された図示しない段部との間に弾装された圧縮コイルばねとしてのリングばね２３の弾力により、図２おいて、すなわちダイアル錠をつまみ７側から見て、操作リング１８は反時計方向に付勢されている。
なお、図６において符号２４はダイアル錠を郵便箱に装着する取付ナットを示す。
【００２９】
上記のように構成されたこの発明の一実施例による開扉防止機構は、図１に示すようにダイアル機構が解錠しており、操作リング１８に外力が作用しない状態を常態とすると、この常態においてカム１９はその平面部２１をトリガー杆１６の外端と対峙させている。
【００３０】
そして、前記したように、トリガー杆１６の内端は内側及び外側回転体１、２の開口端縁にほぼ揃った状態でホルダ内に臨ませているから、郵便箱の蓋が貯まった郵便物の重量により開く方向に圧力を受けた場合、その圧力によりガイドピンの回りを回転しようとするラッチはトリガー杆１６を外側に向け押動しようとするが、その押動はトリガー杆を介してカム１９の平面部２１に担持されるので、蓋が開いてしまうことはない。
【００３１】
一方、操作リングを時計方向に回し、図６において斜面部２２を上方に移動させると、トリガー杆１６の外端とカム１９との間に隙間ができるので、トリガー杆１６はラッチに押されて外側に移動可能になり、その結果蓋が開くことは前記した通りである。
【００３２】
なお、操作リング１８から手を放すと、リングばね３の弾力により傾斜面２２が図６において下降し、そのとき傾斜面２２とトリガー杆の傾斜端縁１７（図４参照）との間に生じる楔作用により、トリガー杆１６は内方に移動して図６に示す状態に戻る。
【図面の簡単な説明】
【００３３】
【図１】この発明の一実施例による開扉防止機構を備えたダイアル場の縦断面図。
【図２】その横断面図。
【図３】外ケースの正面図。
【図４】トリガー杆の平面図。
【図５】トリガー杆の正面図。
【図６】この発明の一実施例による開扉防止機構の平面図。
【符号の説明】
【００３４】
１  内側回転体
２  外側回転体
３  外ケース
４  内側切欠
５  外側切欠
６  第１係合片
７  つまみ
８  ダイアル機構
９  ホルダ
１１  ラッチばね
１２  ラッチ
１３  案内スリット
１４  ガイドピン
１５  トリガー杆収納溝
１６  トリガー杆
１７  傾斜端縁
１８  操作リング
１９  カム
２１  平面部
２２  傾斜面
２３  リングばね
２４  取付ナット
【図１】
2010144380.tif 000003
【図２】
2010144380.tif 000004
【図３】
2010144380.tif 000005
【図４】
2010144380.tif 000006
【図５】
2010144380.tif 000007
【図６】
2010144380.tif 000008